(57)【特許請求の範囲】
【請求項１】
物体側から順に、全体として負の屈折力の前群と、全体として正の屈折力の後群とからなり、前記前群が物体側から順に正レンズのみからなる第１レンズ群と負レンズのみからなる第２レンズ群からなり、前記後群が物体側から順に全体として正の屈折力の第３レンズ群と、全体として負の屈折力の第４レンズ群と、全体として正の屈折力の第５レンズ群とよりなり、前記第３レンズ群が、物体側より順に、少なくとも１枚の正レンズを含むレンズ成分と物体側に凹面を向けた正のメニスカスレンズと物体側に凹面を向けた負のメニスカスレンズとを接合した接合レンズとを含むレンズ系で、下記条件を満足する中望遠レンズ。
（１）    ０．３＜｜ｆF ／ｆR ｜＜１．５
（２）    ０．０５＜｜ｆR ／ｆ4 ｜＜０．８
（３）    ０．８＜｜ｆ5 ／ｆR ｜＜１．５
ただし、ｆF ，ｆR ，ｆ4 ，ｆ5 は夫々前群，後群、後群中の第４レンズ群および後群中の第５レンズ群の焦点距離である。
【請求項２】
前記第４レンズ群が、物体側から順に、両凹レンズと両凸レンズとを接合した接合レンズよりなることを特徴とする請求項１の中望遠レンズ。
【請求項３】
請求項１又は２に記載する中望遠レンズを用いた撮像装置。
【発明の詳細な説明】
【０００１】
【発明の属する技術分野】
本発明は、画角が２０°乃至４０°程度で、Ｆナンバーが２．８程度と明るく、撮像管や固体撮像素子などを用いたいわゆる電子カメラやビデオカメラに適した中望遠レンズに関するものである。
【０００２】
【従来の技術】
一般に、撮像管や固体撮像素子などを用いたいわゆる電子カメラやビデオカメラ等は、レンズと撮像面との間にローパスフィルターや赤外線カットフィルター等の光学部材を配置する必要があるため、これらカメラに用いるレンズ系は、焦点距離に比較して長いバックフォーカスが必要になる。
【０００３】
とりわけカラー画像の画質を向上させるために、ＲＧＢ３色を複数の撮像素子で撮影するために、いわゆる色分解光学系を用いる撮像装置の場合、前記光学部材のほかに光路分割のためのミラーやプリズムなどの光学部材を挿入する必要があり、レンズ系は一層長いバックフォーカスが必要になる。
【０００４】
そのため、撮影レンズは、特に長い焦点距離を有するレンズ系を除いて、物体側から順に、負−正のいわゆるレトロフォーカスタイプのレンズ構成にすることが一般的である。又、銀塩カメラでは望遠タイプや、絞りに対して対称な屈折力配置のレンズ構成を採用することが多い。これは画角が２０°乃至４０°程度の中望遠レンズにおいても同様である。
【０００５】
いわゆるレトロフォーカスタイプのレンズ構成の中望遠レンズの従来例として、例えば特開昭６１−２００５１９号公報や特開平２−１１８５０７号公報、特開平５−１３４１７４号公報、特開平７−２４８４４７号公報に記載されているレンズ系が知られている。
【０００６】
【発明が解決しようとする課題】
近年、製造技術の発展により電子カメラやビデオカメラ等に用いられる撮像素子は、撮像管から固体撮像素子へと主力が移り、また固体撮像素子も、大きさに比べてピクセル数の非常に多い素子が用いられるようになった。
【０００７】
そのため、従来銀塩カメラと比較して画質が劣る等の理由から用いられなかった印刷向けのカメラとしても撮像素子が用いられるようになった。しかし、これら用途に用いる撮像素子は、ハイビジョン等の高精細テレビの規格のものと同等もしくは更に多くのピクセル数が必要であり、近年発達した製造技術をもってしても小型の撮像素子を製造することが困難である。そのために、各ピクセルの大きさを変えずに全体の大きさを大きくすることによって多くのピクセルを配列した撮像素子およびこの撮像素子を用いた電子カメラが開発されている。
【０００８】
しかし、大きな撮像素子では、同じウエハーから製造し得る撮像素子の数が少なく製造原価が高くなるという欠点がある。そのため配列するピクセルの大きさを小さくし、小型の撮像素子で多くのピクセルを配列した撮像素子を開発することにより小型化と低コスト化を同時に達成しようとする強い要求がある。
【０００９】
しかし、配列するピクセルの大きさを小さくすると、いわゆるナイキスト周波数が高くなり、撮影レンズに要求される光学性能が極めて高くなる。
【００１０】
一方、前述のように、電子撮像素子を用いる電子カメラやビデオカメラは、長いバックフォーカスを必要とするために、レトロフォーカスタイプのレンズ構成にせざるを得ず、絞りを挟んで負の前群と正の後群とよりなる非対称な屈折力配置になるため、歪曲収差や非点収差などの軸外収差の補正が困難になる。また負の前群により軸上光束が発散光束になるために、正の後群において球面収差の発生が大になり、明るいレンズ系にすることが困難である。
【００１１】
また、レトロフォーカスタイプのレンズ系は、バックフォーカスを長くする程負の前群と正の後群の屈折力を強くしなければならず、前記の収差を補正することが一層困難になる。
【００１２】
又、高画質な映像になる程色再現や色モアレなど色の問題が顕著になる。そのため、１枚の撮像素子の上に色フィルターをモザイク状やストライプ状等に配列した撮像素子を用いるいわゆる単板式カメラよりもＲＧＢ３原色を３枚の撮像素子で撮影するいわゆる３板式カメラに代表される多板式カメラが望まれる。
【００１３】
そのため、撮影レンズと撮像素子との間にいわゆる色分解光学系を挿入する必要が生じ、撮影レンズは、一層長いバックフォーカスが必要になり、レンズ系の設計がますます困難になる。
【００１４】
特開昭６１−２００５１９号公報、特開平２−１１８５０７号公報、特開平５−１３４１７４号公報に記載されたレンズ系は、球面収差や色収差の補正が十分ではなく、また特開平７−２４８４４７号公報に記載されたレンズ系は、非常に高い光学性能を有するが、レンズ系が極めて大きく前述の撮像素子を小さく保ち装置全体を小型化しようという目的に反する。
【００１５】
本発明は、画角が２０°乃至４０°程度で、Ｆナンバーが２．８程度と明るく、レンズ系と撮像素子の間にローパスフィルターや赤外カットフィルターなどの各種光学部材に加えて複数の撮像素子を用いてＲＧＢ３原色の映像を構成するために光路分岐用部材を配置し得る長いバックフォーカスを有していて、小型で多くのピクセルを配列した撮像素子を用いた電子カメラやビデオカメラ等に最適な極めて高い光学性能を有する、比較的小型な中望遠レンズを提供するものである。
【００１６】
【課題を解決するための手段】
本発明の中望遠レンズは、物体側から順に、全体として負の屈折力の前群と、全体として正の屈折力の後群とよりなり、前群が物体側より順に正レンズのみからなる第１レンズ群と負レンズのみからなる第２レンズ群とからなり、後群が物体側より順に、全体として正の屈折力の第３レンズ群と、全体として負の屈折力の第４レンズ群と、全体として正の屈折力の第５レンズ群とからなり、下記条件（１），（２），（３）を満足することを特徴とするものである。
（１）    ０．３＜｜ｆF ／ｆR ｜＜１．５
（２）    ０．０５＜｜ｆR ／ｆ4 ｜＜０．８
（３）    ０．８＜｜ｆ5 ／ｆR ｜＜１．５
ただし、ｆF ，ｆR は前群および後群の焦点距離、ｆ4 ，ｆ5 は夫々後群の第４レンズ群および第５レンズ群の焦点距離である。
【００１７】
一般に色分解プリズムなどの色分解光学系を用いる場合、光の効率的な利用のために光の透過する波長スペクトルをコントロールするダイクロイック膜を用いて色分解を行なうのが一般的である。しかしダイクロイック膜は、膜に入射する光の傾きに応じて透過する波長スペクトルが異なる。そのため画面内で均一な色分解を得るためには画面内の任意の場所で色分解光学系に入射する光束の傾きや拡がりがほぼ等しいことが望ましい。つまり、軸外主光線が光軸と同角度で色分解光学系に入射し、軸外光束が主光線に対して回転対称な拡がりを持った光束であることが望ましい。
【００１８】
そのために、撮影レンズの射出瞳位置は、ほぼ無限遠になるようにすることが望ましいが、適度な遠方であれば撮像素子で受光して後に電気系でいわゆるホワイトシェーディング補正回路を設けることにより実用上問題のないレベルの色信号を得ることができる。
【００１９】
また、電子撮像素子は銀塩フイルム等と異なり、各ピクセルの光電変換面に結像する光は光電変換面と適当な間隔を設けて配置された色フィルターや、光を効率よく集光させるためのマイクロレンズなどの部材を通過して結像し、各ピクセル毎に光電変換面と前記部材とは１対１に対応している。このとき中心光線が撮像素子に斜めに入射する光束を考えると、撮像素子の各ピクセルの大きさや、前記部材と光電変換面との間隔に比較して、入射する光束の中心光線の傾きが極度に大きいと前記部材を通過した光束もしくはその一部が前記部材に対応する光電変換面からはみだして電気信号への変換に寄与しなかったり、別のピクセルに結像し、そのために明るさむらや偽色を生ずる。
【００２０】
このような問題を解決するために撮影レンズの射出瞳位置に応じて、前記光学部材とそれに対応するピクセルとの間に適当なずれを生ずるようにする等の手段が用いられる。この場合、射出瞳位置を適当な範囲におさめることによって光線の射出角を制御するが、製造される撮像素子を汎用的に使用しようとする場合、あるいは撮影レンズを交換して使用するカメラの場合等を想定すると、射出瞳位置が極端に像面近くなることは設計上の制約が大になり好ましくない。
【００２１】
汎用性を考慮すると、電子撮像素子に入射する光束をその中心光線が適度な傾き角以下になるようにすることが望ましい。つまり撮影レンズの射出瞳位置は、適度に遠方に位置するようにすることが望ましい。
【００２２】
したがって、色分解光学系からの必要性と、撮像素子からの必要性とから、撮影レンズの射出瞳位置は、ほぼ無限遠もしくは適度な遠方に位置することが望ましい。そのため、撮影レンズとして負の前群と正の後群よりなるレトロフォーカスタイプを採用する場合、後群の正の屈折力を適度に強めることが必要になる。
【００２３】
本発明のレンズ系は、例えば図１に示すように、撮影レンズと撮像素子との間に複数の撮像素子に分岐する色分解光学系等を挿入し得るように長いバックフォーカスを確保することを目的の一つとしている。
【００２４】
そのため、本発明のレンズ系はレトロフォーカスタイプのレンズ構成で、レンズ系の全長を長くすることなくバックフォーカスを長くするようにした。そのためには簡単な近軸関係式から、前群の負の屈折力と後群の正の屈折力とを強くする必要があることがわかる。
【００２５】
このように色分解光学系の特性や、電子撮像素子の構造や、光学的な近軸条件のいずれからも、前群の負の屈折力と後群の正の屈折力とを共に強める必要がある。
【００２６】
以上述べたように、本発明のレンズ系は、高画質な映像とりわけＲＧＢ３原色を複数の撮像素子にて撮像するいわゆる多板式カメラに最適な光学系および撮像装置を第１の目的としているが、その他自動焦点や自動露出を行なうために撮影レンズの像側に光路を分岐するプリズム等の光学部材を配置する撮像装置や、いわゆる一眼レフ方式のファインダーのために撮像レンズの像側に光路を分岐させるプリズムやミラー等の光学部材を配置する撮像装置等のように、ローパスフィルターや赤外カットフィルター等以外の長い光路長を必要とする光学部材を撮影レンズと像面の間に配置する撮像装置に最適な構成のレンズ系を得ることを目的とすることは明らかである。
【００２７】
前述のレトロフォーカスタイプのレンズ系は、絞りに対して負−正の非対称な屈折力配置であるため、歪曲収差や非点収差などの軸外収差の補正が困難になり、また負の屈折力の前群により軸上光束が発散光束になるため後群の正の屈折力が強くなり後群で発生する球面収差が大になり補正が困難になる。この傾向は負の屈折力と正の屈折力を強くする程顕著になり、特に前群で発生する負の歪曲収差と後群で発生する負の球面収差の補正が困難である。
【００２８】
本発明は、前記諸収差を良好に補正しかつ長いバックフォーカスを確保し、又射出瞳位置をほぼ無限遠もしくは適度な遠方に位置せしめるために、前群と後群の屈折力配分を上記条件（１）を満足するように規定した。
【００２９】
この条件（１）の下限値の０．３を超えて｜ｆF ／ｆR ｜が小さい値になると、後群の正の屈折力が不足して射出瞳をほぼ無限遠もしくは適度な遠方に位置せしめることが困難になり、又、レンズ系全体に必要な屈折力を確保するために前群と後群の間隔を大にしなければならずレンズ系が大型になり好ましくない。また条件（１）の上限値の１．５を超えて｜ｆF ／ｆR ｜の値が大になると前群の負の屈折力が不足しバックフォーカスの確保が困難になる。
【００３０】
本発明のレンズ系において、前群と後群の屈折力配分を前記条件（１）を満足するように規定しても、諸収差特に歪曲収差は、前群での負の屈折力により負の歪曲収差が発生し、一方後群での正の屈折力でも負の歪曲収差が発生するため、レンズ系全系では負の歪曲収差が大になる。とりわけ、負および正の屈折力を強くするとその傾向が強くなる。
【００３１】
そのために、歪曲収差を良好に補正するためには、前群中に正の屈折力を配置するか後群中に負の屈折力を配置することにより正の歪曲収差を発生させることが必要である。
【００３２】
一方、軸上光線は、前群の負の屈折力によって光軸から離れる方向に屈折されて後群に入射するために、前群と比べて後群における光線高が高くなり、後群の正レンズで発生する負の球面収差が大になる傾向があり、特に後群の屈折力を強くした場合その傾向が大になる。
【００３３】
この後群での負の球面収差を前群の負の屈折力のみで補正しようとすると、負の歪曲収差が発生するために好ましくない。したがって、後群中に負の屈折力を配置して球面収差や歪曲収差を補正することが好ましい。
【００３４】
しかし、後群に負の屈折力を配置してこれら収差を補正しようとするのみでは前群で発生する大きな負の歪曲収差を補正するために、および効率良く球面収差を補正するためには、後群を物体側より順に正−負の屈折力配置にして後群中での軸上光線高が極力低くなるようにし、また軸外光線高が高くなる像側に負の屈折力を配置することが望ましい。しかし前記屈折力配置では長いバックフォーカスを確保することができない。
【００３５】
本発明のレンズ系は、前群中に正の屈折力を配置すると共に、後群中に負の屈折力を配置して前群と後群の両方で諸収差を補正するようにした。この場合、バックフォーカスを確保することと比較的小さな屈折力で歪曲収差と非点収差の補正を行なうために、前群中で軸外主光線が高くなる最も物体側に正の屈折力を配置することが望ましい。したがって前群は、物体側から順に、正レンズのみからなる第１レンズ群と負レンズのみからなる第２レンズ群とにて構成することが望ましい。
【００３６】
一方後群は、バックフォーカスの確保と球面収差の補正とを両立させるために、物体側から順に、正−負−正のパワー配置にして、軸上光線高を極力低くしながらかつマクロ的には負−正の構成になるようにすることが好ましい。具体的には、物体側から順に、正のパワーの第３レンズ群と負のパワーの第４レンズ群と正のパワーの第５レンズ群にて構成するのが望ましい。その上で第４レンズ群のパワーを前記の条件（２）を満足するようにする必要がある。
【００３７】
条件（２）の下限値の０．０５を超えて｜ｆR ／ｆ4 ｜の値が小さくなると第４レンズ群の負のパワーが不足して収差補正に必要な負のパワーを得ることができない。また上限値の０．８を超えて｜ｆR ／ｆ4 ｜が大になると、第４レンズ群の負のパワーが大になりすぎて収差が補正過剰になり好ましくない。
【００３８】
また、後群の第５レンズ群の屈折力が前記条件（３）を満足することが望ましい。
【００３９】
条件（３）の下限値の０．８を超えて｜ｆ5 ／ｆR ｜の値が小さくなると正のパワーが強くなりすぎてバックフォーカスの確保が困難になると共に負の球面収差が大になり補正が困難になる。また条件（３）の上限値の１．５を超えて｜ｆ5 ／ｆR ｜が大になると射出瞳位置を十分遠くすることが困難になる。
【００４０】
本発明の中望遠レンズは、以上のような構成にすることにより、レンズ系と撮像素子との間にローパスフィルター、赤外カットフィルター、さらに色分解光学系やファインダー、自動焦点、自動露出のための光路分岐用部材等の各種光学部材を配置し得る長いバックフォーカスを有ししかも小型で多くのピクセルを配置した撮像素子を用いた電子カメラやビデオカメラ等に最適な極めて高い光学性能を有するレンズ系である。
【００４１】
本発明の上記の構成のレンズ系において、前群の第１レンズ群および第２レンズ群が下記条件（４），（５）を満足することが望ましい。
（４）    ０．８＜｜ｆ1 ／ｆF ｜＜５．０
（５）    ０．２＜｜ｆ2 ／ｆF ｜＜０．９
ただし、ｆ1 ，ｆ2 は夫々前群中の第１レンズ群および第２レンズ群の焦点距離、又ｆF は前群の焦点距離である。
【００４２】
条件（４）において、下限値の０．８を超えて｜ｆ1 ／ｆF ｜の値が小さくなると前群中の第１レンズ群の正のパワーが強くなりすぎてバックフォーカスを確保するために十分な前群の負のパワーを確保することが困難になる。又条件（４）の上限値の５．０を超えると、第１レンズ群の正のパワーが弱くなり歪曲収差の補正作用が不足して前群で負の歪曲収差が残存する。
【００４３】
また、条件（５）において、下限値の０．２を超えると前群の第２レンズ群の負のパワーが強くなりすぎて正のパワーの第１レンズ群を用いても歪曲収差の補正が困難になる。また上限値の０．９を超えると第２レンズ群の負のパワーが弱くなりバックフォーカスを確保する上で十分な前群の負のパワーが得られなくなる。
【００４４】
又、後群中の負のパワーの第４レンズ群は、更に良好な収差補正を行なうためには、負レンズと正レンズとの接合レンズにすることが好ましく、又両凹レンズと両凸レンズとの接合レンズにすれば一層望ましい。
【００４５】
また、前群中の第２レンズ群を、物体側より順に、物体側に凸面を向けた負のメニスカスレンズと両凹レンズとの２枚の負レンズにて構成して前群中の第１レンズ群にて発生する非点収差を打ち消す作用を持たせることが望ましい。
【００４６】
前述のように、本発明の中望遠レンズは、射出瞳位置をほぼ無限遠もしくは適度な遠方に位置するようにしており、そのために後群の最も像側に配置するレンズは正レンズであることが望ましい。
【００４７】
つまり、本発明の前記レンズ構成のレンズ系で、条件（１）〜（３）又は条件（４），（５）あるいはその両方の条件を満足するレンズ系において、最も像側に正レンズを配置することが望ましい。又この正レンズが条件（６）を満足することが一層好ましい。
（６）    −１．３＜ＳＦp ＜−０．５
ただし、ＳＦp は前記正レンズのシェーピングファクーである。
【００４８】
ここで、レンズのシェーピングファクターＳＦとは、対象となるレンズの物体側および像側の面の曲率半径を夫々ｒa ，ｒb とした時下記の式にて求められる値である。
ＳＦ＝（ｒa ＋ｒb ）／（ｒa −ｒb ）
【００４９】
条件（６）において、下限値の−１．３を超えてＳＦp が小さな値をとると前記レンズの像側の面が強い正のパワーを有することになり、球面収差やコマ収差の発生が大になり好ましくない。又上限値の−０．５を超えてＳＦp が大きな値になると前記レンズに必要な正のパワーを確保することが難しく射出瞳位置を望ましい位置にすることが困難になる。
【００５０】
また、本発明のレンズ系において、近距離物点にフォーカシングする際、前記正レンズ（後群の最も像側に配置した正レンズ）とこの正レンズよりも物体側に位置するレンズ群との間を広げるようにすれば、無限遠物点から近距離物点まで良好な光学性能を保ちながらフォーカシングできる。
【００５１】
上記の方法でのフォーカシングを行なう場合、収差変動を抑制するためには前記正レンズのパワーが下記条件（７）を満足することが望ましい。
（７）    ０．１＜｜ｆR ／ｆp ｜＜０．５５
ただし、ｆp は最も像側に配置された正レンズの焦点距離、ｆR は後群の焦点距離である。
【００５２】
条件（７）において下限値の０．１を超えて｜ｆR ／ｆp ｜が小になると結像に必要な正のパワーが前記正レンズに集中するために前記正レンズにて発生する諸収差が大になり補正困難になるとともにフォーカシング時のレンズ群の繰り出し量が大になる。又上限値の０．５５を超えて｜ｆR ／ｆp ｜が大になると前記正レンズのパワーが小になりフォーカシング時に繰り出すレンズ群のパワーが強くなりすぎて、フォーカシング時の収差変動が大になる。
【００５３】
更に、フォーカシングに際して前記の最も像側に位置する正レンズを固定してこの正レンズよりも物体側のレンズ群を物体側に繰り出すことによりフォーカシングを行なえば、比較的単純なフォーカシング機構により無限遠物点から近距離物点まで安定した良好な光学性能を得ることができる。
【００５４】
また、本発明のレンズ系において収差を一層良好に補正するためには、後群中の正のパワーの第３レンズ群を物体側から順に、少なくとも１枚の正レンズを含むレンズ成分と物体側に凹面を向けた正のメニスカスレンズと物体側に凹面を向けた負のメニスカスレンズとを接合した接合レンズ成分とにて構成することが望ましい。
【００５５】
後群中の第３レンズ群を上記構成にすれば軸上光線高を必要以上に高くすることがないため、十分な正のパワーを確保しつつ負の球面収差を抑制することができ、第４レンズ群の負のパワーを増大させずに球面収差の補正が可能である。
【００５６】
更に、本発明のレンズ系において、諸収差を一層良好に補正するためには、条件（１）乃至条件（７）の代りに下記条件（１−１）乃至条件（７−１）を満足することが望ましい。
（１−１）    ０．３８＜｜ｆF ／ｆR ｜＜１．４
（２−１）    ０．０８＜｜ｆR ／ｆ4 ｜＜０．７
（３−１）    ０．８＜｜ｆ5 ／ｆR ｜＜１．２
（４−１）    ０．８５＜｜ｆ1 ／ｆF ｜＜４．５
（５−１）    ０．２５＜｜ｆ2 ／ｆF ｜＜０．８
（６−１）    −１．２＜ＳＦp ＜−０．６
（７−１）    ０．２＜｜ｆR ／ｆp ｜＜０．５
【００５７】
尚条件（１），（２），（３），（４），（５），（６），（７）のうちのいずれか一つを上記条件に代え又は、二つ又はそれ以上の条件の適宜組合わせた複数の条件を上記条件に代えれば収差補正の効果を増大せしめ得、すべての条件を上記条件に代えれば収差補正にとって一層望ましい。
【００５８】
更に、一層良好な収差補正のためには、条件（２−１）の代りに下記条件（２−２）を、又は条件（３−１）の代りに下記条件（３−２）を、又条件（４−１）の代りに下記条件（４−２）を、又条件（５−１）の代りに下記条件（５−２）を、又条件（６−１）の代りに下記条件（６−２）を、又、条件（７−１）の代りに下記条件（７−２）のうち少なくとも一つあるいは適宜組合わせの複数の条件を満足するようにすれば望ましい。
（２−２）    ０．０９｜ｆR ／ｆ4 ｜＜０．６５
（３−２）    ０．８５＜｜ｆ5 ／ｆR ｜＜１．０５
（４−２）    ０．９＜｜ｆ1 ／ｆF ｜＜３．０
（５−２）    ０．３＜｜ｆ2 ／ｆF ｜＜０．７５
（６−２）    −１．１＜ＳＦp ＜−０．７
（７−２）    ０．２５＜｜ｆR ／ｆp ｜＜０．４５
【００５９】
また本発明のレンズ系において、広角であって射出瞳位置をほぼ無限遠もしくは適度に遠方に位置するようにするためには、下記条件（８）を満足することが望ましい。
（８）    ｜ｆ／ＥＸ｜＜０．１
ただし、ＥＸは近軸射出瞳位置、ｆは全系の焦点距離である。
【００６０】
｜ｆ／ＥＸ｜が条件（８）の上限値の０．１を超えると、例えば色分解プリズムをレンズ系と撮像素子との間に配置した場合、画面の中心と周辺とでダイクロイック膜に入射する光線の入射角が異なることになり、画面の中心と周辺とで分けられる光の分光特性が変化していわゆる色シェーディングが著しくなる。これを電気回路により補正しても、絞りによる補正量の変動が大きく好ましくない。
【００６１】
また色分解プリズムを配置しない場合も、撮像素子に入射する光線が傾きをもつことになり、前述のように明るさむらや偽信号を生じたり、あるいは汎用性が低下する。
【００６２】
又、前記条件（８）の代りに下記条件（８−１）を満足するようにすれば一層好ましい。
（８−１）    ｜ｆ／ＥＸ｜＜０．０５
【００６３】
【発明の実施の形態】
次に、本発明のレンズ系の実施の形態を下記の各実施例をもとに説明する。実施例１
ｆ＝45.003，Ｆ／2.81，２ω＝28.20 °
ｒ1 ＝45.6910           ｄ1 ＝6.300     ｎ1 ＝1.71615     ν1 ＝53.84
ｒ2 ＝-227.3380         ｄ2 ＝0.450
ｒ3 ＝19.4610           ｄ3 ＝3.950     ｎ2 ＝1.48915     ν2 ＝70.20
ｒ4 ＝14.4540           ｄ4 ＝5.280
ｒ5 ＝-41.9980          ｄ5 ＝2.600     ｎ3 ＝1.67158     ν3 ＝33.04
ｒ6 ＝23.2870           ｄ6 ＝5.260
ｒ7 ＝-105.0010         ｄ7 ＝6.830     ｎ4 ＝1.48915     ν4 ＝70.20
ｒ8 ＝30.9980           ｄ8 ＝3.800     ｎ5 ＝1.85504     ν5 ＝23.78
ｒ9 ＝-278.8880         ｄ9 ＝3.540
ｒ10＝∞（絞り）        ｄ10＝5.050
ｒ11＝-170.6070         ｄ11＝5.750     ｎ6 ＝1.48915     ν6 ＝70.20
ｒ12＝-20.3910          ｄ12＝2.450     ｎ7 ＝1.63004     ν7 ＝35.70
ｒ13＝-32.7890          ｄ13＝8.416
ｒ14＝-48.1330          ｄ14＝2.700     ｎ8 ＝1.80642     ν8 ＝34.97
ｒ15＝45.1140           ｄ15＝6.690     ｎ9 ＝1.48915     ν9 ＝70.20
ｒ16＝-39.2760          ｄ16＝7.688
ｒ17＝124.0200          ｄ17＝7.670     ｎ10＝1.49845     ν10＝81.61
ｒ18＝-41.3130          ｄ18＝Ｄ1 （可変）
ｒ19＝59.5930           ｄ19＝6.420     ｎ11＝1.48915     ν11＝70.20
ｒ20＝-1030.1600        ｄ20＝2.000
ｒ21＝∞                ｄ21＝18.500    ｎ12＝1.51825     ν12＝64.15
ｒ22＝∞                ｄ22＝1.000
ｒ23＝∞                ｄ23＝50.500    ｎ13＝1.69979     ν13＝55.52
ｒ24＝∞
物体距離        ∞            -4493.694       -1314.947
Ｄ1             15.285        16.729          20.204
｜ｆF ／ｆR ｜＝1.148 ，｜ｆR ／ｆ4 ｜＝0.450 ，｜ｆ5 ／ｆR ｜＝0.987
｜ｆ1 ／ｆF ｜＝1.024 ，｜ｆ2 ／ｆF ｜＝0.376 ，ＳＦp ＝-0.891
｜ｆR ／ｆp ｜＝0.395 ，｜ｆ／ＥＸ｜＝0.025
【００６４】
実施例２
ｆ＝45.060，Ｆ／2.80，２ω＝30.70 °
ｒ1 ＝64.2609           ｄ1 ＝4.764     ｎ1 ＝1.71615     ν1 ＝53.84
ｒ2 ＝-125.1618         ｄ2 ＝0.150
ｒ3 ＝19.8663           ｄ3 ＝2.502     ｎ2 ＝1.48915     ν2 ＝70.20
ｒ4 ＝13.5083           ｄ4 ＝5.441
ｒ5 ＝-29.2844          ｄ5 ＝2.000     ｎ3 ＝1.67158     ν3 ＝33.04
ｒ6 ＝37.5423           ｄ6 ＝1.915
ｒ7 ＝-149.5157         ｄ7 ＝4.818     ｎ4 ＝1.48915     ν4 ＝70.20
ｒ8 ＝38.7128           ｄ8 ＝0.150
ｒ9 ＝30.5680           ｄ9 ＝3.500     ｎ5 ＝1.85504     ν5 ＝23.78
ｒ10＝-84.1974          ｄ10＝1.694
ｒ11＝∞（絞り）        ｄ11＝3.791
ｒ12＝-35.5927          ｄ12＝7.268     ｎ6 ＝1.48915     ν6 ＝70.20
ｒ13＝-14.0205          ｄ13＝2.000     ｎ7 ＝1.63004     ν7 ＝35.70
ｒ14＝-25.8790          ｄ14＝12.502
ｒ15＝-39.1822          ｄ15＝3.650     ｎ8 ＝1.80642     ν8 ＝34.97
ｒ16＝65.3397           ｄ16＝7.151     ｎ9 ＝1.48915     ν9 ＝70.20
ｒ17＝-29.9939          ｄ17＝8.891
ｒ18＝94.2482           ｄ18＝11.336    ｎ10＝1.48915     ν10＝70.20
ｒ19＝-26.0615          ｄ19＝2.350     ｎ11＝1.54212     ν11＝59.57
ｒ20＝-50.0229          ｄ20＝2.000
ｒ21＝81.4808           ｄ21＝4.179     ｎ12＝1.48915     ν12＝70.20
ｒ22＝-659.6414         ｄ22＝1.800
ｒ23＝∞                ｄ23＝2.000     ｎ13＝1.51825     ν13＝64.15
ｒ24＝∞                ｄ24＝2.000
ｒ25＝∞                ｄ25＝1.8000    ｎ14＝1.51825     ν14＝64.15
ｒ26＝∞                ｄ26＝4.000
ｒ27＝∞                ｄ27＝55.000    ｎ15＝1.58566     ν15＝46.33
ｒ28＝∞                ｄ28＝1.000
ｒ29＝∞                ｄ29＝10.000    ｎ16＝1.51825     ν16＝64.15
ｒ30＝∞
｜ｆF ／ｆR ｜＝0.742 ，｜ｆR ／ｆ4 ｜＝0.329 ，｜ｆ5 ／ｆR ｜＝1.019
｜ｆ1 ／ｆF ｜＝1.631 ，｜ｆ2 ／ｆF ｜＝0.522 ，ＳＦp ＝-0.780
｜ｆR ／ｆp ｜＝0.334 ，｜ｆ／ＥＸ｜  ＝0.009
【００６５】
実施例３
ｆ＝44.957，Ｆ／2.80，２ω＝30.77 °
ｒ1 ＝72.6162           ｄ1 ＝4.586     ｎ1 ＝1.71615     ν1 ＝53.84
ｒ2 ＝-138.6868         ｄ2 ＝0.150
ｒ3 ＝20.0956           ｄ3 ＝3.331     ｎ2 ＝1.48915     ν2 ＝70.20
ｒ4 ＝13.9215           ｄ4 ＝5.614
ｒ5 ＝-31.0884          ｄ5 ＝2.000     ｎ3 ＝1.67158     ν3 ＝33.04
ｒ6 ＝34.9125           ｄ6 ＝1.948
ｒ7 ＝-129.1819         ｄ7 ＝6.858     ｎ4 ＝1.48915     ν4 ＝70.20
ｒ8 ＝44.4328           ｄ8 ＝0.150
ｒ9 ＝35.8694           ｄ9 ＝3.500     ｎ5 ＝1.85504     ν5 ＝23.78
ｒ10＝-73.6689          ｄ10＝1.615
ｒ11＝∞（絞り）        ｄ11＝3.536
ｒ12＝-48.1616          ｄ12＝5.000     ｎ6 ＝1.48915     ν6 ＝70.20
ｒ13＝-15.3531          ｄ13＝4.200     ｎ7 ＝1.63004     ν7 ＝35.70
ｒ14＝-27.5447          ｄ14＝15.364
ｒ15＝-41.7757          ｄ15＝1.881     ｎ8 ＝1.80642     ν8 ＝34.97
ｒ16＝43.6274           ｄ16＝7.121     ｎ9 ＝1.48915     ν9 ＝70.20
ｒ17＝-34.3345          ｄ17＝10.621
ｒ18＝122.8957          ｄ18＝8.326     ｎ10＝1.49845     ν10＝81.61
ｒ19＝-43.7022          ｄ19＝2.350
ｒ20＝86.4061           ｄ20＝4.000     ｎ11＝1.48915     ν11＝70.20
ｒ21＝-515.6981         ｄ21＝1.701
ｒ22＝∞                ｄ22＝2.000     ｎ12＝1.51825     ν12＝64.15
ｒ23＝∞                ｄ23＝2.000
ｒ24＝∞                ｄ24＝18.000    ｎ13＝1.51825     ν13＝64.15
ｒ25＝∞                ｄ25＝4.000
ｒ26＝∞                ｄ26＝55.000    ｎ14＝1.58566     ν14＝46.33
ｒ27＝∞                ｄ27＝1.000
ｒ28＝∞                ｄ28＝10.000    ｎ15＝1.51825     ν15＝64.15
ｒ29＝∞
｜ｆF ／ｆR ｜＝0.727 ，｜ｆR ／ｆ4 ｜＝0.523 ，｜ｆ5 ／ｆR ｜＝0.928
｜ｆ1 ／ｆF ｜＝1.831 ，｜ｆ2 ／ｆF ｜＝0.543 ，ＳＦp ＝-0.713
｜ｆR ／ｆp ｜＝0.333 ，｜ｆ／ＥＸ｜  ＝0.007
【００６６】
実施例４
ｆ＝45.100，Ｆ／2.80，２ω＝30.67 °
ｒ1 ＝57.4322           ｄ1 ＝4.970     ｎ1 ＝1.71615     ν1 ＝53.84
ｒ2 ＝-208.7110         ｄ2 ＝0.651
ｒ3 ＝22.1251           ｄ3 ＝3.355     ｎ2 ＝1.48915     ν2 ＝70.20
ｒ4 ＝14.6316           ｄ4 ＝6.348
ｒ5 ＝-33.8819          ｄ5 ＝2.000     ｎ3 ＝1.67158     ν3 ＝33.04
ｒ6 ＝37.0659           ｄ6 ＝1.962
ｒ7 ＝-260.6315         ｄ7 ＝6.548     ｎ4 ＝1.48915     ν4 ＝70.20
ｒ8 ＝26.8439           ｄ8 ＝3.500     ｎ5 ＝1.85504     ν5 ＝23.78
ｒ9 ＝-244.0879         ｄ9 ＝2.010
ｒ10＝∞（絞り）        ｄ10＝3.443
ｒ11＝-48.2322          ｄ11＝5.000     ｎ6 ＝1.48915     ν6 ＝70.20
ｒ12＝-15.8482          ｄ12＝2.294     ｎ7 ＝1.63004     ν7 ＝35.70
ｒ13＝-29.9018          ｄ13＝15.654
ｒ14＝-76.5997          ｄ14＝3.650     ｎ8 ＝1.80642     ν8 ＝34.97
ｒ15＝42.2078           ｄ15＝6.907     ｎ9 ＝1.48915     ν9 ＝70.20
ｒ16＝-43.2021          ｄ16＝8.936
ｒ17＝108.0750          ｄ17＝8.821     ｎ10＝1.49845     ν10＝81.61
ｒ18＝-43.6766          ｄ18＝2.000
ｒ19＝76.2644           ｄ19＝4.000     ｎ11＝1.48915     ν11＝70.20
ｒ20＝1917.4776         ｄ20＝1.701
ｒ21＝∞                ｄ21＝2.000     ｎ12＝1.51825     ν12＝64.15
ｒ22＝∞                ｄ22＝2.000
ｒ23＝∞                ｄ23＝18.000    ｎ13＝1.51825     ν13＝64.15
ｒ24＝∞                ｄ24＝4.000
ｒ25＝∞                ｄ25＝55.000    ｎ14＝1.58566     ν14＝46.33
ｒ26＝∞                ｄ26＝1.000
ｒ27＝∞                ｄ27＝10.000    ｎ15＝1.51825     ν15＝64.15
ｒ28＝∞
｜ｆF ／ｆR ｜＝0.885 ，｜ｆR ／ｆ4 ｜＝0.272 ，｜ｆ5 ／ｆR ｜＝0.969
｜ｆ1 ／ｆF ｜＝1.495 ，｜ｆ2 ／ｆF ｜＝0.485 ，ＳＦp ＝-1.083
｜ｆR ／ｆp ｜＝0.295 ，｜ｆ／ＥＸ｜  ＝0.011
【００６７】
実施例５
ｆ＝45.100，Ｆ／2.80，２ω＝30.67 °
ｒ1 ＝50.9877           ｄ1 ＝5.173     ｎ1 ＝1.71615     ν1 ＝53.84
ｒ2 ＝-205.7361         ｄ2 ＝0.150
ｒ3 ＝20.3772           ｄ3 ＝2.383     ｎ2 ＝1.48915     ν2 ＝70.20
ｒ4 ＝14.0173           ｄ4 ＝6.356
ｒ5 ＝-33.6415          ｄ5 ＝2.000     ｎ3 ＝1.67158     ν3 ＝33.04
ｒ6 ＝33.6153           ｄ6 ＝2.043
ｒ7 ＝-157.4995         ｄ7 ＝5.285     ｎ4 ＝1.48915     ν4 ＝70.20
ｒ8 ＝22.5607           ｄ8 ＝3.500     ｎ5 ＝1.85504     ν5 ＝23.78
ｒ9 ＝-1646.0575        ｄ9 ＝2.128
ｒ10＝∞（絞り）        ｄ10＝3.293
ｒ11＝-201.9275         ｄ11＝7.545     ｎ6 ＝1.48915     ν6 ＝70.20
ｒ12＝-15.4999          ｄ12＝3.599     ｎ7 ＝1.63004     ν7 ＝35.70
ｒ13＝-35.4231          ｄ13＝12.161
ｒ14＝-40.3079          ｄ14＝2.699     ｎ8 ＝1.80642     ν8 ＝34.97
ｒ15＝72.6733           ｄ15＝6.959     ｎ9 ＝1.48915     ν9 ＝70.20
ｒ16＝-29.2135          ｄ16＝9.567
ｒ17＝116.5068          ｄ17＝9.854     ｎ10＝1.48915     ν10＝70.20
ｒ18＝-29.9762          ｄ18＝2.000     ｎ11＝1.54212     ν11＝59.57
ｒ19＝-50.0229          ｄ19＝1.350
ｒ20＝74.0591           ｄ20＝4.000     ｎ12＝1.48915     ν12＝70.20
ｒ21＝-658.6796         ｄ21＝1.800
ｒ22＝∞                ｄ22＝2.000     ｎ13＝1.51825     ν13＝64.15
ｒ23＝∞                ｄ23＝2.000
ｒ24＝∞                ｄ24＝18.000    ｎ14＝1.51825     ν14＝64.15
ｒ25＝∞                ｄ25＝4.000
ｒ26＝∞                ｄ26＝55.000    ｎ15＝1.58566     ν15＝46.33
ｒ27＝∞                ｄ27＝1.000
ｒ28＝∞                ｄ28＝10.000    ｎ16＝1.51825     ν16＝64.15
ｒ29＝∞
｜ｆF ／ｆR ｜＝0.862 ，｜ｆR ／ｆ4 ｜＝0.256 ，｜ｆ5 ／ｆR ｜＝1.045
｜ｆ1 ／ｆF ｜＝1.391 ，｜ｆ2 ／ｆF ｜＝0.473 ，ＳＦp ＝-0.798
｜ｆR ／ｆp ｜＝0.352 ，｜ｆ／ＥＸ｜  ＝0.009
【００６８】
実施例６
ｆ＝44.950，Ｆ／2.80，２ω＝30.76 °
ｒ1 ＝-1375.2494        ｄ1 ＝3.926     ｎ1 ＝1.73234     ν1 ＝54.68
ｒ2 ＝-64.8810          ｄ2 ＝0.150
ｒ3 ＝24.1112           ｄ3 ＝4.500     ｎ2 ＝1.48915     ν2 ＝70.20
ｒ4 ＝15.7678           ｄ4 ＝4.796
ｒ5 ＝-25.4624          ｄ5 ＝3.871     ｎ3 ＝1.67158     ν3 ＝33.04
ｒ6 ＝33.7979           ｄ6 ＝3.712
ｒ7 ＝40.2420           ｄ7 ＝3.500     ｎ4 ＝1.85504     ν4 ＝23.78
ｒ8 ＝-48.6363          ｄ8 ＝1.256
ｒ9 ＝∞（絞り）        ｄ9 ＝4.141
ｒ10＝-28.8331          ｄ10＝7.567     ｎ5 ＝1.48915     ν5 ＝70.20
ｒ11＝-14.4272          ｄ11＝4.140     ｎ6 ＝1.63004     ν6 ＝35.70
ｒ12＝-23.0141          ｄ12＝9.019
ｒ13＝-29.3072          ｄ13＝3.650     ｎ7 ＝1.80642     ν7 ＝34.97
ｒ14＝65.4608           ｄ14＝8.666     ｎ8 ＝1.48915     ν8 ＝70.20
ｒ15＝-28.5943          ｄ15＝11.509
ｒ16＝144.8802          ｄ16＝10.147    ｎ9 ＝1.48915     ν9 ＝70.20
ｒ17＝-29.0630          ｄ17＝2.000     ｎ10＝1.58566     ν10＝46.33
ｒ18＝-49.0875          ｄ18＝1.500
ｒ19＝70.6074           ｄ19＝4.000     ｎ11＝1.48915     ν11＝70.20
ｒ20＝-880.8777         ｄ20＝1.800
ｒ21＝∞                ｄ21＝2.000     ｎ12＝1.51825     ν12＝64.15
ｒ22＝∞                ｄ22＝2.000
ｒ23＝∞                ｄ23＝18.000    ｎ13＝1.51825     ν13＝64.15
ｒ24＝∞                ｄ24＝4.000
ｒ25＝∞                ｄ25＝55.000    ｎ14＝1.58566     ν14＝46.33
ｒ26＝∞                ｄ26＝1.000
ｒ27＝∞                ｄ27＝10.000    ｎ15＝1.51825     ν15＝64.15
ｒ28＝∞
｜ｆF ／ｆR ｜＝0.472 ，｜ｆR ／ｆ4 ｜＝0.612 ，｜ｆ5 ／ｆR ｜＝0.977
｜ｆ1 ／ｆF ｜＝3.643 ，｜ｆ2 ／ｆF ｜＝0.703 ，ＳＦp ＝-0.852
｜ｆR ／ｆp ｜＝0.404 ，｜ｆ／ＥＸ｜  ＝0.006
【００６９】
実施例７
ｆ＝44.962，Ｆ／2.80，２ω＝30.76 °
ｒ1 ＝-516.0167         ｄ1 ＝3.826     ｎ1 ＝1.77620     ν1 ＝49.66
ｒ2 ＝-64.5429          ｄ2 ＝0.150
ｒ3 ＝24.4437           ｄ3 ＝4.500     ｎ2 ＝1.48915     ν2 ＝70.20
ｒ4 ＝15.7543           ｄ4 ＝5.072
ｒ5 ＝-24.2995          ｄ5 ＝6.466     ｎ3 ＝1.69417     ν3 ＝31.08
ｒ6 ＝33.8817           ｄ6 ＝2.236
ｒ7 ＝41.2966           ｄ7 ＝4.500     ｎ4 ＝1.85504     ν4 ＝23.78
ｒ8 ＝-42.8563          ｄ8 ＝1.104
ｒ9 ＝∞（絞り）        ｄ9 ＝4.570
ｒ10＝-25.4911          ｄ10＝5.000     ｎ5 ＝1.48915     ν5 ＝70.20
ｒ11＝-13.9304          ｄ11＝4.200     ｎ6 ＝1.64419     ν6 ＝34.48
ｒ12＝-21.6077          ｄ12＝15.673
ｒ13＝-36.9119          ｄ13＝3.650     ｎ7 ＝1.80642     ν7 ＝34.97
ｒ14＝50.6337           ｄ14＝8.314     ｎ8 ＝1.48915     ν8 ＝70.20
ｒ15＝-35.2407          ｄ15＝8.788
ｒ16＝140.4621          ｄ16＝8.000     ｎ9 ＝1.49845     ν9 ＝81.61
ｒ17＝-46.4675          ｄ17＝1.500
ｒ18＝71.7081           ｄ18＝4.500     ｎ10＝1.48915     ν10＝70.20
ｒ19＝-5047.8462        ｄ19＝1.800
ｒ20＝∞                ｄ20＝2.000     ｎ11＝1.51825     ν11＝64.15
ｒ21＝∞                ｄ21＝2.000
ｒ22＝∞                ｄ22＝18.000    ｎ12＝1.51825     ν12＝64.15
ｒ23＝∞                ｄ23＝4.000
ｒ24＝∞                ｄ24＝55.000    ｎ13＝1.58566     ν13＝46.33
ｒ25＝∞                ｄ25＝1.000
ｒ26＝∞                ｄ26＝10.000    ｎ14＝1.51825     ν14＝64.15
ｒ27＝∞
｜ｆF ／ｆR ｜＝0.416 ，｜ｆR ／ｆ4 ｜＝0.648 ，｜ｆ5 ／ｆR ｜＝0.872
｜ｆ1 ／ｆF ｜＝4.114 ，｜ｆ2 ／ｆF ｜＝0.719 ，ＳＦp ＝-0.972
｜ｆR ／ｆp ｜＝0.383 ，｜ｆ／ＥＸ｜  ＝0.006
【００７０】
実施例８
ｆ＝45.003，Ｆ／2.83，２ω＝28.11 °
ｒ1 ＝55.2609           ｄ1 ＝6.668     ｎ1 ＝1.71615     ν1 ＝53.84
ｒ2 ＝-270.1164         ｄ2 ＝0.450
ｒ3 ＝24.4830           ｄ3 ＝4.203     ｎ2 ＝1.48915     ν2 ＝70.20
ｒ4 ＝16.9214           ｄ4 ＝8.710
ｒ5 ＝-36.8548          ｄ5 ＝2.600     ｎ3 ＝1.67158     ν3 ＝33.04
ｒ6 ＝30.3056           ｄ6 ＝2.727
ｒ7 ＝-146.8179         ｄ7 ＝6.000     ｎ4 ＝1.48915     ν4 ＝70.20
ｒ8 ＝30.1775           ｄ8 ＝3.800     ｎ5 ＝1.85504     ν5 ＝23.78
ｒ9 ＝∞                ｄ9 ＝4.959
ｒ10＝∞（絞り）        ｄ10＝8.319
ｒ11＝-153.2146         ｄ11＝8.000     ｎ6 ＝1.48915     ν6 ＝70.20
ｒ12＝-19.4714          ｄ12＝2.450     ｎ7 ＝1.63004     ν7 ＝35.70
ｒ13＝-39.1233          ｄ13＝10.939
ｒ14＝-107.1179         ｄ14＝2.700     ｎ8 ＝1.80922     ν8 ＝39.58
ｒ15＝52.5152           ｄ15＝5.799     ｎ9 ＝1.48915     ν9 ＝70.20
ｒ16＝-52.5152          ｄ16＝5.310
ｒ17＝104.4296          ｄ17＝8.033     ｎ10＝1.49845     ν10＝81.61
ｒ18＝-46.7552          ｄ18＝Ｄ1 （可変）
ｒ19＝70.4321           ｄ19＝4.499     ｎ11＝1.48915     ν11＝70.20
ｒ20＝∞                ｄ20＝8.000
ｒ21＝∞                ｄ21＝19.000    ｎ12＝1.51825     ν12＝64.15
ｒ22＝∞                ｄ22＝6.380
ｒ23＝∞                ｄ23＝50.000    ｎ13＝1.71615     ν13＝53.84
ｒ24＝∞
物体距離    ∞      -4493.694     -1345.000     -440.000     -220.000
Ｄ1        9.847    11.171        14.235        22.939       35.128
｜ｆF ／ｆR ｜＝1.026 ，｜ｆR ／ｆ4 ｜＝0.177 ，｜ｆ5 ／ｆR ｜＝1.029
｜ｆ1 ／ｆF ｜＝1.355 ，｜ｆ2 ／ｆF ｜＝0.429 ，ＳＦp ＝-1.000
｜ｆR ／ｆp ｜＝0.323 ，｜ｆ／ＥＸ｜  ＝0.025
【００７１】
実施例９
ｆ＝45.042，Ｆ／2.83，２ω＝28.13 °
ｒ1 ＝33.8021           ｄ1 ＝10.050    ｎ1 ＝1.71615     ν1 ＝53.84
ｒ2 ＝238.6280          ｄ2 ＝0.150
ｒ3 ＝24.4769           ｄ3 ＝4.265     ｎ2 ＝1.48915     ν2 ＝70.20
ｒ4 ＝17.4158           ｄ4 ＝6.739
ｒ5 ＝-131.6000         ｄ5 ＝3.122     ｎ3 ＝1.76167     ν3 ＝27.51
ｒ6 ＝18.0712           ｄ6 ＝6.925
ｒ7 ＝-777.9072         ｄ7 ＝6.000     ｎ4 ＝1.48915     ν4 ＝70.20
ｒ8 ＝26.1270           ｄ8 ＝3.550     ｎ5 ＝1.85504     ν5 ＝23.78
ｒ9 ＝∞                ｄ9 ＝5.500
ｒ10＝∞（絞り）        ｄ10＝8.554
ｒ11＝-51.5023          ｄ11＝8.000     ｎ6 ＝1.48915     ν6 ＝70.20
ｒ12＝-21.7746          ｄ12＝2.770     ｎ7 ＝1.72733     ν7 ＝29.23
ｒ13＝-40.3016          ｄ13＝7.247
ｒ14＝-67.8304          ｄ14＝1.996     ｎ8 ＝1.81077     ν8 ＝40.95
ｒ15＝54.5438           ｄ15＝6.450     ｎ9 ＝1.48915     ν9 ＝70.20
ｒ16＝-34.3833          ｄ16＝0.150
ｒ17＝71.6619           ｄ17＝7.466     ｎ10＝1.49845     ν10＝81.61
ｒ18＝-46.2821          ｄ18＝Ｄ1 （可変）
ｒ19＝59.3408           ｄ19＝7.224     ｎ11＝1.48915     ν11＝70.20
ｒ20＝∞                ｄ20＝2.700
ｒ21＝∞                ｄ21＝5.260
ｒ22＝∞                ｄ22＝47.000    ｎ12＝1.57124     ν12＝56.33
ｒ23＝∞                ｄ23＝1.000     ｎ13＝1.51825     ν13＝64.15
ｒ24＝∞                ｄ24＝2.910
ｒ25＝∞                ｄ25＝0.900     ｎ14＝1.52736     ν14＝64.55
ｒ26＝∞
物体距離    ∞      -4493.6937    -1345.0000    -440.0000    -220.0000
Ｄ1       11.1791   12.4568       15.3845       23.5175      34.4631
｜ｆF ／ｆR ｜＝1.386 ，｜ｆR ／ｆ4 ｜＝0.102 ，｜ｆ5 ／ｆR ｜＝1.000
｜ｆ1 ／ｆF ｜＝0.922 ，｜ｆ2 ／ｆF ｜＝0.313 ，ＳＦp ＝-1.000
｜ｆR ／ｆp ｜＝0.348 ，｜ｆ／ＥＸ｜  ＝0.042
ただしｒ1 ，ｒ2 ，・・・ はレンズ各面の曲率半径、ｄ1 ，ｄ2 ，・・・ は各レンズの肉厚およびレンズ間隔、ｎ1 ，ｎ2 ，・・・ は各レンズのｅ線に対する屈折率、ν1 ，ν2 ，・・・ は各レンズのｄ線に対するアッベ数である。
【００７２】
実施例１は図１に示すレンズ構成のレンズ系で、物体側より順に、全体として負の屈折力の前群Ｆと全体として正の屈折力の後群Ｒとよりなり、前群Ｆは、物体側より順に、１枚の正レンズからなる第１レンズ群Ｇ１と２枚の負レンズからなる第２レンズ群Ｇ２から構成されており、そのうちの第２レンズ群Ｇ２が物体側から順に、像側に凹面を向けた負のメニスカスレンズと両凹レンズとからなる。又、後群Ｒは、物体側から順に、負レンズと正レンズとの接合レンズ成分と、絞りと、物体側に凹面を向けた正のメニスカスレンズと物体側に凹面を向けた負のメニスカスレンズとの接合レンズ成分とよりなる第３レンズ群Ｇ３と、両凹レンズと両凸レンズの接合レンズ成分からなる第４レンズ群Ｇ４と、２枚の正レンズからなる第５レンズ群Ｇ５から構成されている。
【００７３】
前述のように、前群Ｆの第１レンズ群Ｇ１に正の屈折力を配置することにより前群Ｆで発生する大きな負の歪曲収差を補正し、又後群Ｒを正の第３レンズ群Ｇ３と負の第４レンズ群Ｇ４と正の第５レンズ群Ｇ５との構成としいわゆるトリプレットタイプと同様の屈折力配分とし、第３レンズ群Ｇ３により前群で発散光束になった軸上光線の光線高を下げて特に球面収差の発生を抑制し、第４レンズ群Ｇ４により後群で発生する負の球面収差等の補正を行ない、又第５レンズ群Ｇ５により射出瞳位置をほぼ無限遠もしくは適度な遠方に位置せしめるように作用している。
【００７４】
この実施例１において、レンズ系より像側に配置されている各平面ガラスは、ローパスフィルター、赤外カットフィルター、色分解プリズムもしくは光路分割プリズム、トリミングフィルター等を表わしている。
【００７５】
この実施例１の無限遠物体における収差状況は図１０に示してある。又この実施例１はデータ中に示すように最も像側のレンズＬｐとその前のレンズ群の間を広げてフォーカシングを行なうもので物体距離１．３ｍにおける収差状況は図１１に示す通りである。
【００７６】
この実施例１はバックフォーカスが空気換算で４６．９ｍｍであり、図１に示すようにローパスフィルター、赤外カットフィルター、色分解プリズム、トリミングフイルター等の光学部材を配置し得るに十分なバックフォーカスを有している。又、収差曲線図に示す通り、小さなピクセルを配列した撮像素子を用いるのに十分な光学性能を有している。
【００７７】
実施例２は、図２に示す通りの構成で、後群Ｒの第３レンズ群Ｇ３が物体側より順に、負レンズと正レンズと絞りと物体側に凹面を向けた正のメニスカスレンズと物体側に凹面を向けた負のメニスカスレンズとを接合した接合レンズ成分よりなり後群Ｒの第５レンズＧ５が両凸レンズと物体側に凹面を向けた負のメニスカスレンズとを接合した接合レンズ成分と正レンズＬｐとよりなる点で実施例１と相違する。つまりこの第３レンズ群Ｇ３中の物体側に配置されている負レンズと正レンズが実施例１では両レンズを接合した接合レンズ成分であるのに対して、実施例２では両レンズが僅かな空気間隔をおいて分離され配置されている点と、後群中の第５レンズ群Ｇ５の物体側のレンズ成分が単レンズではなく、両凸レンズと物体側が物体側に凹面を向けた負のメニスカスレンズとを接合した接合レンズ成分である点とで異なっている。
【００７８】
この実施例２は、前述のように後群Ｒの第３レンズ群Ｇ３を物体側より順に、負レンズと正レンズと絞りと接合レンズにて構成し絞りより物体側の負レンズと正レンズとを僅かに分離した構成とすることにより収差補正の自由度を増大せしめた。又後群Ｒの第５レンズ群Ｇ５を、物体側から順に正レンズと物体側に凹面を向けた負のメニスカスレンズの接合レンズと正レンズＬｐとにて構成し、つまりこの第５レンズ群Ｇ５に接合レンズを用いることによって比較的廉価なガラスを用いたにもかかわらず色収差を十分良好に補正して高い光学性能を有するレンズ系を達成し得た。
【００７９】
実施例３は、図３に示す通りの構成で、後群Ｒ中の第３レンズ群Ｇ３が物体側から順に負レンズと正レンズと絞りと物体側に凹面を向けた正のメニスカスレンズと物体側に凹面を向けた負のメニスカスレンズとを接合した接合レンズ成分とからなる点で実施例１と相違する。つまりこの第３レンズ群Ｇ３の物体側の負レンズと正レンズとが接合されておらず僅かに空気間隔を設けて配置した点で実施例１と異なる。
【００８０】
この実施例３も、第３レンズ群Ｇ３の絞りより物体側の負レンズと正レンズを両レンズ間に僅かに空気間隔を設けて分離することにより収差補正の自由度を増大した例である。
【００８１】
実施例４は図４に示す通り実施例１と同様の構成である。
【００８２】
実施例５は、図５に示す通りの構成である。この実施例５は、後群Ｒ中の第５レンズ群Ｇ５が物体側から順に、両凸レンズと凹面を物体側に向けた負のメニスカスレンズとを接合した接合レンズ成分と正レンズＬｐとよりなる点で実施例１と相違する。つまり第５レンズ群Ｇ５の物体側のレンズ成分が、実施例１が正の単レンズであるのに対し、この実施例５は接合レンズ成分である点で相違する。
【００８３】
この実施例５は、第５レンズ群Ｇ５に実施例２と同様に接合レンズを用いることにより比較的廉価なガラスで色収差を良好に補正して高い光学性能のレンズ系とした例である。
【００８４】
実施例６は図６に示す通りのレンズ構成のレンズ系である。この実施例６は後群Ｒ中の第３レンズ群Ｇ３が両凸レンズと絞りと物体側に凹面を向けた正のメニスカスレンズと物体側に凸面を向けた負のメニスカスレンズとを接合した接合レンズ成分とよりなり、後群Ｒ中の第５レンズ群Ｇ５が両凸レンズと物体側に凹面を向けた負のメニスカスレンズとを接合した接合レンズと正レンズＬｐとよりなる点で実施例１のレンズ系と相違する。つまり、後群Ｒ中の第３レンズ群Ｇ３の絞りより前の成分が正の単レンズである点と第５レンズ群Ｇ５の物体側のレンズ成分が接合レンズ成分である点で実施例１と相違する。
【００８５】
この実施例６は、後群Ｒ中の第３レンズ群Ｇ３を、前述のように物体側より順に正レンズと絞りと接合レンズとにて構成し、つまり絞りより物体側を１枚のレンズにて構成してレンズ枚数の削減をはかった例である。又、後群Ｒ中の第５レンズ群Ｇ５に実施例２と同様接合レンズを用いて色収差を補正し、廉価なガラスで高い光学性能を得るようにしている。
【００８６】
実施例７は図７に示す通りである。この実施例７は、後群Ｒの第３レンズ群Ｇ３が物体側より順に、正レンズと絞りと物体側に凹面を向けた正のメニスカスレンズと物体側に凹面を向けた負のメニスカスレンズとを接合した接合レンズ成分とよりなる点で実施例１と相違する。つまり、後群Ｒ中の第３レンズ群Ｇ３の絞りより物体側のレンズ成分が正の単レンズよりなることで実施例１と相違する。
【００８７】
実施例７は、実施例６と同様に第３レンズ群Ｇ３を絞りより物体側に１枚のレンズのみ用いてレンズ枚数の削減をはかり、極めて少ないレンズにてレンズ系を構成した例である。
【００８８】
実施例８は、図８に示す通りの構成で実施例１と同様のレンズ構成のレンズ系である。
【００８９】
この実施例８は、バックフォーカスを十分長くとりプリズム等と光学部材等との間隔を十分にあけゆとりをもった構成にしてある。つまり、レンズ系と撮像素子の間にローパスフィルターや赤外カットフィルター、光分解プリズムもしくは光路分解プリズム等の光学部材を挿入するのに十分なバックフォーカスを有している。
【００９０】
又、データ中に示すように、最も像側のレンズとそれより物体側のレンズ群との間を広げることによりフォーカシングを行ない、これにより無限遠からマクロ撮影が可能な至近距離まで、小さなピクセルを配置した撮像素子を用い得るような十分に高い光学性能を有している。
【００９１】
実施例９は、図９に示すレンズ構成で実施例１と同様の構成のレンズ系である。この実施例９は、プリズム等の光学部材等の厚みを小にし、又レンズ系の絞りより像側において軸上光線高を低く保つことによってレンズの径を小さくしてマウント部等のメカ部材の小型化をはかった例であり、十分な周辺光量を得るために逆に絞りより物体側のレンズの径がやや大になっている。
【００９２】
上記実施例中、実施例２〜８はいずれも実施例１よりも一層バックフォーカスを長くしたレンズ系でいわゆる色分解プリズムや一眼式光学ファインダーや自動焦点、自動露出のためなどに用いられる光路分岐用プリズムを複数配置することが可能である。
【００９３】
以上述べた本発明のレンズ系は、特許請求の範囲の各項に記載する構成のほか、次に記載する各項の構成のレンズ系も発明の目的を達成し得るものである。
【００９４】
（１）特許請求の範囲の請求項１，２又は３に記載するレンズ系で、第２レンズ群が、物体側より順に、負のメニスカスレンズと両凹レンズの少なくとも２枚の負レンズを含むことを特徴とする中望遠レンズ。
【００９５】
（２）特許請求の範囲の請求項１，２又は３あるいは前記の（１）の項に記載するレンズ系で、後群の最も像側のレンズが下記条件（６）を満足する正レンズであることを特徴とする中望遠レンズ。
（６）    −１．３＜ＳＦp ＜−０．５
【００９６】
（３）特許請求の範囲の請求項１，２又は３あるいは前記の（１）又は（２）の項に記載するレンズ系で、第３レンズ群が、物体側より順に、少なくとも１枚の正レンズを含むレンズ成分と物体側に凹面を向けた正のメニスカスレンズと物体側に凹面を向けた負のメニスカスレンズとを接合した接合レンズとを含むことを特徴とする中望遠レンズ。
【００９７】
（４）特許請求の範囲の請求項１，２又は３あるいは前記の（１），（２）又は（３）の項に記載するレンズ系で、第４レンズ群が、物体側から順に、両凹レンズと両凸レンズとを接合した接合レンズよりなることを特徴とする中望遠レンズ。
【００９８】
（５）前記の（２）の項に記載するレンズ系で、最も物体側の正レンズとこの正レンズより物体側のレンズ群の間隔が広がるようにして無限遠物点から近距離物点へのフォーカシングを行ない、前記正レンズが下記条件（７）を満足することを特徴とする中望遠レンズ。
（７）    ０．１＜｜ｆR ／ｆp ｜＜０．５５
【００９９】
（６）前記の（５）の項に記載するレンズ系で、無限遠物点から近距離物点へのフォーカシングの際に前記正レンズが固定されていることを特徴とする中望遠レンズ。
【０１００】
（７）特許請求の範囲の請求項１，２又は３あるいは前記の（１），（２），（３），（４），（５）又は（６）の項に記載する中望遠レンズを用いた撮像装置。
【０１０１】
【発明の効果】
本発明の中望遠レンズは、画角が２０°乃至４０°程度でＦナンバーが２．８程度と明るいレンズ系であって、レンズ系と撮像素子との間にローパスフィルターや赤外カットフィルターさらに色分解光学系やファインダー、自動焦点、自動露出のための光路分岐用部材等の光学部材を挿入し得る十分に長いバックフォーカスを有するもので、小型で多くのピクセルを配列した撮像素子を用いた電子カメラやビデオカメラなどに最適な極めて高い光学性能を有する比較的小型なレンズ系である。
【図面の簡単な説明】
【図１】本発明の実施例１の断面図
【図２】本発明の実施例２の断面図
【図３】本発明の実施例３の断面図
【図４】本発明の実施例４の断面図
【図５】本発明の実施例５の断面図
【図６】本発明の実施例６の断面図
【図７】本発明の実施例７の断面図
【図８】本発明の実施例８の断面図
【図９】本発明の実施例９の断面図
【図１０】本発明の実施例１の無限遠物点における収差曲線図
【図１１】本発明の実施例１の近距離物点における収差曲線図
【図１】
0003983863.tif 000002
【図２】
0003983863.tif 000003
【図３】
0003983863.tif 000004
【図４】
0003983863.tif 000005
【図５】
0003983863.tif 000006
【図６】
0003983863.tif 000007
【図７】
0003983863.tif 000008
【図８】
0003983863.tif 000009
【図９】
0003983863.tif 000010
【図１０】
0003983863.tif 000011
【図１１】
0003983863.tif 000012